(57)【要約】      （修正有）【課題】  プラズマディスプレイ装置などの表示装置の映像と、オーディオアンプ装置などの音声出力装置の出力音声との同期を、簡単に調整することができる音声出力装置を提供すること。【解決手段】  動画を含む映像信号とこれに同期した音声信号とを入力して再生する表示装置に対して所定の音声信号を出力する出力手段（出力端子４ｔ）と、表示装置が表示する映像に同期するように調整された音声信号を出力する出力端子から出力される音声信号を入力する入力手段（調整用音声入力端子４ｒ）と、出力手段から出力された音声信号と入力手段から入力された音声信号とを比較して遅延量を算出する算出手段（一致検出回路４ｊおよび制御回路４ｇ）と、動画を含む映像信号に同期した音声信号を入力し、遅延量だけ遅延して出力する遅延手段（デジタル遅延回路４ｉ）と、を有する。【選択図】  図３
2006217006.tif 000002
【特許請求の範囲】
【請求項１】
動画を含む映像信号とこれに同期した音声信号とを入力して再生する表示装置に対して所定の音声信号を出力する出力手段と、
上記表示装置が表示する映像に同期するように調整された音声信号を出力する出力端子から出力される音声信号を入力する入力手段と、
上記出力手段から出力された音声信号と上記入力手段から入力された音声信号とを比較して遅延量を算出する算出手段と、
動画を含む映像信号に同期した音声信号を入力し、上記遅延量だけ遅延して出力する遅延手段と、
を有することを特徴とする音声出力装置。
【請求項２】
前記算出手段は、前記出力手段から出力される音声信号と、前記入力手段から入力される音声信号の時間差から遅延量を求めることを特徴とする請求項１記載の音声出力装置。
【請求項３】
前記算出手段は、前記出力手段から出力される音声信号を前記遅延手段によって遅延して得られた音声信号と、前記入力手段から入力される音声信号とを比較しつつ前記遅延手段の遅延量を変化させ、これらの音声信号の位相が一致した場合の遅延量を求めることを特徴とする請求項１記載の音声出力装置。
【請求項４】
前記出力手段は、外部の音声再生装置から出力される音声信号を入力し、前記表示装置に対して当該音声信号を出力することを特徴とする請求項１記載の音声出力装置。
【請求項５】
前記出力端子は、ヘッドフォン出力端子であることを特徴とする請求項１記載の音声出力装置。
【請求項６】
前記出力端子は、ライン出力端子であることを特徴とする請求項１記載の音声出力装置。
【請求項７】
前記音声信号は、１００ｍｓ以上の周期で周波数が変化する正弦波信号または矩形波信号であることを特徴とする請求項１記載の音声出力装置。
【請求項８】
前記音声信号は、少なくとも２つの異なる周波数の信号を有し、そのいずれかの周波数の信号は１００ｍｓ以上の周期で変化することを特徴とする請求項１記載の音声出力装置。
【請求項９】
前記音声信号は１０ｋＨｚから１００Ｈｚの範囲の周波数を有することを特徴とする請求項８または９記載の音声出力装置。
【請求項１０】
前記所定の音声信号を生成する生成手段をさらに有し、
前記出力手段は、前記生成手段によって生成された音声信号を出力することを特徴とする請求項１記載の音声出力装置。
【請求項１１】
前記出力手段は、前記遅延手段の遅延量を調整することが指示された場合には、前記生成手段によって生成された音声信号を出力し、その他の場合には外部の音声再生装置から出力される音声信号を入力して出力することを特徴とする請求項５記載の音声出力装置。
【請求項１２】
請求項１から６の中のいずれか１項記載の音声出力装置と、
前記音声出力装置に接続され、少なくとも音声信号を再生して出力する音声信号再生装置と、
前記音声出力装置を介して接続され、動画を含む映像信号とこれに同期した音声信号とを入力して再生する表示装置と、
を有することを特徴とする同期調整システム。
【請求項１３】
動画を含む映像信号とこれに同期した音声信号とを入力して再生する表示装置に対して所定の音声信号を出力する出力ステップと、
上記表示装置が表示する映像に同期するように調整された音声信号を出力する出力端子から出力される音声信号を入力する入力ステップと、
上記出力ステップによって出力された音声信号と上記入力ステップによって入力された音声信号とを比較して遅延量を算出する算出ステップと、
動画を含む映像信号に同期した音声信号を入力し、上記遅延量だけ遅延して出力する遅延ステップと、
を有することを特徴とする同期調整方法。
【発明の詳細な説明】
【技術分野】
【０００１】
本発明は、音声出力装置、同期調整システムおよび同期調整方法に関する。
【背景技術】
【０００２】
特許文献１は、テレビジョンの映像信号と音声信号の時間差測定装置を開示する。特許文献１の時間差測定装置は、同時に発生したテレビジョンの映像信号と音声信号とがそれぞれ別の伝送路または信号処理回路を介して伝送または処理されたのちモニタに供されるとき、モニタ時点における映像信号と音声信号の到達時間差を測定するものである。
【０００３】
特許文献１の時間差測定装置は、映像信号と音声信号の到達時間差を測定するために、テレビジョンの映像信号と音声信号とに基づいてそれぞれテレビジョンの映像と音声とを得る手段と、該得られたテレビジョンの映像の画面中前記画面の一部における時間的な輝度の変化を対応したレベルの電気信号に変換する光−電気変換器と、該光−電気変換器によって得られた電気信号を２値のパルス信号に整形する第１の波形整形回路と、該第１の該波形整形回路の出力から１パルスを発生する第１の１パルス発生回路と、得られたテレビジョンの音声を該音声のレベルに対応した電気信号に変換するマイクロホンと、該マイクロホンによって得られた電気信号を微分する微分回路と、該微分回路の出力を２値のパルス信号に整形する第２の波形整形回路と、該第２の波形整形回路の出力から１パルスを発生する第２の１パルス発生回路と、前記第１の１パルス発生回路の出力でゲートオンし前記第２の１パルス発生回路の出力でゲートオフするゲート回路と、該ゲート回路がゲートオンとなっている期間を当該期間に含まれるクロックパルスの数をカウントすることにより測定するカウンタ回路と、該カウンタ回路によるカウント結果を表示する時間表示器と、を備える。
【０００４】
【特許文献１】特開平１０−２８５４８３号公報（特許請求の範囲、発明の詳細な説明など）
【発明の開示】
【発明が解決しようとする課題】
【０００５】
ところで、近年、プラズマディスプレイ装置等に代表されるディジタルフラットディスプレイが開発され、普及しはじめている。この中でプラズマディスプレイ装置は、ＴＦＴ（Ｔｈｉｎ  Ｆｉｌｍ  Ｔｒａｎｓｉｓｔｏｒ）を使用する一般的な液晶ディスプレイ装置に比べて、大画面のものを製品化しやすいというメリットがある。プラズマディスプレイ装置は、その大画面で高画質な表示能力のために、たとえばオーディオアンプ装置などと組合せて、ホームシアターシステムとして利用される場合がある。
【０００６】
しかしながら、このディジタル平面ディスプレイ装置と、オーディオアンプ装置などを組合せて使用する場合、以下のような問題が生じる。
【０００７】
例えば、プラズマディスプレイ装置を例にとると、そのディスプレイドライバがプラズマ発光表示部のアドレス電極および表示電極に電圧を印加し、この電圧で所望の放電セル内でプラズマ放電を発生し、そのプラズマ放電にともなう紫外線でその放電セルに設けられた蛍光体を発光させている。また、プラズマディスプレイ装置は、それに入力された動画を、プラズマ発光表示部のアドレス電極および表示電極に与える制御信号へ変換するために、映像Ａ／Ｄ変換部、信号処理部、ディスプレイドライバなどの信号処理系の回路を有する。
【０００８】
そのため、プラズマディスプレイ装置は、アナログ映像信号が入力されてから、その信号に基づく表示画面が表示されるまでに大きな遅延時間が発生する。プラズマディスプレイ装置では、特に大きな遅延時間を生じる場合もある。表示画面の遅れは、数十〜数百ミリ秒にもなることがある。
【０００９】
このようにディジタルフラットパネルディスプレイ装置は、それに信号が入力されてからその信号に基づく表示画面を表示するまでに大きな遅延が発生している。その結果、これらの装置とオーディオアンプ装置などを組合せて使用する場合、表示装置が映像を表示するより先に、オーディオアンプ装置から音声が出力されてしまう。つまり、映像より音が先行して出力されてしまう。たとえば、二人の人が喧嘩をしている場面では、殴る音がしてから、人が殴られる画面が表示されてしまう。
【００１０】
人は、映像より音が遅れる場合には、たとえば遠くで雷がなっている場合を想像すれば解るように、自分の遠方において映像の場面が展開されていると感じ、違和感を生じ難い。しかしながら、映像より音が先行した場合、現実社会ではありえないことになるので、その先行の程度が非常にわずかな時間であったとしても、違和感を生じ易い。
【００１１】
このような状況は、他の方式の表示装置でも大なり小なり起こり得る。
【００１２】
そして、このような違和感が生じないように、プラズマディスプレイ装置の映像と、オーディオアンプ装置から出力される音声との同期を調整しようとする場合、特許文献１に記載されているような時間差測定装置を用いて、映像と音声とのずれ量の値を測定しなければならない。このような時間差測定装置は、映像と音声とのずれ量の値の測定のためだけに使用するものであり、一般人が気軽に購入して利用することができるようなものではない。
【００１３】
本発明は、プラズマディスプレイ装置などの表示装置の映像と、オーディオアンプ装置などの音声出力装置の出力音声との同期を、簡単に調整することができる音声出力装置、同期調整システムおよび同期調整方法を得ることを目的とする。
【課題を解決するための手段】
【００１４】
上述の目的を達成するため、本発明の音声出力装置は、動画を含む映像信号とこれに同期した音声信号とを入力して再生する表示装置に対して所定の音声信号を出力する出力手段と、表示装置が表示する映像に同期するように調整された音声信号を出力する出力端子から出力される音声信号を入力する入力手段と、出力手段から出力された音声信号と入力手段から入力された音声信号とを比較して遅延量を算出する算出手段と、動画を含む映像信号に同期した音声信号を入力し、遅延量だけ遅延して出力する遅延手段と、を有している。
【００１５】
また、他の発明の音声出力装置は、上述の発明に加えて、算出手段が、出力手段から出力される音声信号と、入力手段から入力される音声信号の時間差から遅延量を求めるようにしている。
【００１６】
また、他の発明の音声出力装置は、上述の発明に加えて、算出手段が、出力手段から出力される音声信号を遅延手段によって遅延して得られた音声信号と、入力手段から入力される音声信号とを比較しつつ遅延手段の遅延量を変化させ、これらの音声信号の位相が一致した場合の遅延量を求めるようにしている。
【００１７】
また、他の発明の音声出力装置は、上述の発明に加えて、出力手段が、外部の音声再生装置から出力される音声信号を入力し、表示装置に対して当該音声信号を出力するようにしている。
【００１８】
また、他の発明の音声出力装置は、上述の発明に加えて、出力端子が、ヘッドフォン出力端子である。
【００１９】
また、他の発明の音声出力装置は、上述の発明に加えて、出力端子が、ライン出力端子である。
【００２０】
また、他の発明の音声出力装置は、上述の発明に加えて、音声信号が、１００ｍｓ以上の周期で周波数が変化する正弦波信号または矩形波信号である。
【００２１】
また、他の発明の音声出力装置は、上述の発明に加えて、音声信号が、少なくとも２つの異なる周波数の信号を有し、そのいずれかの周波数の信号は１００ｍｓ以上の周期で変化する。
【００２２】
また、他の発明の音声出力装置は、上述の各発明に加えて、音声信号が１０ｋＨｚから１００Ｈｚの範囲の周波数を有する。
【００２３】
また、他の発明の音声出力装置は、上述の発明に加えて、所定の音声信号を生成する生成手段をさらに有し、出力手段が、生成手段によって生成された音声信号を出力する。
【００２４】
また、他の発明の音声出力装置は、上述の発明に加えて、出力手段が、遅延手段の遅延量を調整することが指示された場合には、生成手段によって生成された音声信号を出力し、その他の場合には外部の音声再生装置から出力される音声信号を入力して出力する。
【００２５】
また、本発明の同期調整システムは、上述の各音声出力装置と、音声出力装置に接続され、少なくとも音声信号を再生して出力する音声信号再生装置と、音声出力装置を介して接続され、動画を含む映像信号とこれに同期した音声信号とを入力して再生する表示装置と、を有する。
【００２６】
また、本発明の同期調整方法は、動画を含む映像信号とこれに同期した音声信号とを入力して再生する表示装置に対して所定の音声信号を出力する出力ステップと、表示装置が表示する映像に同期するように調整された音声信号を出力する出力端子から出力される音声信号を入力する入力ステップと、出力ステップによって出力された音声信号と入力ステップによって入力された音声信号とを比較して遅延量を算出する算出ステップと、動画を含む映像信号に同期した音声信号を入力し、遅延量だけ遅延して出力する遅延ステップと、を有する。
【発明の効果】
【００２７】
本発明は、プラズマディスプレイ装置などの表示装置の映像と、オーディオアンプ装置などの音声出力装置の出力音声との同期を、簡単に調整することができる音声出力装置、同期調整システムおよび同期調整方法を提供することができる。
【発明を実施するための最良の形態】
【００２８】
以下、本発明の実施の形態に係る音声出力装置、同期調整システムおよび同期調整方法を、図面に基づいて説明する。なお、音声出力装置は、オーディオアンプ装置を例として説明する。同期調整方法は、同期調整システムの動作として説明する。
【００２９】
実施の形態．
図１は、本発明の実施の形態に係る同期調整システムを示す図である。同期調整システムは、映像および音声が記録された記録媒体としてのディスク１と、このディスク１を再生する音声信号再生装置としてのディスク再生装置２と、表示装置としてのプラズマディスプレイ装置３と、音声出力装置としてのオーディオアンプ装置４と、スピーカ５と、を有する。
【００３０】
図２は、図１中のプラズマディスプレイ装置３の構成を示すブロック図である。同期調整の対象であるプラズマディスプレイ装置３は、アナログ映像入力端子３ａと、映像Ａ／Ｄ（Ａｎａｌｏｇ  ｔｏ  Ｄｉｇｉｔａｌ）変換部３ｃと、信号処理部３ｄと、ディスプレイドライバ３ｅと、プラズマ発光表示部３ｆと、を有する。また、プラズマディスプレイ装置３は、アナログ音声入力端子３ｂと、遅延回路３ｇと、アンプ回路３ｈと、内蔵スピーカ３ｉと、ヘッドフォン接続端子３ｊと、を有する。
【００３１】
プラズマ発光表示部３ｆは、図示外の複数の放電セルを有する。複数の放電セルは、二次元のマトリックス状に配列される。放電セルは、表示画素の色要素（たとえば赤、緑、青などの色の組合せにおける各色）毎に形成される。
【００３２】
放電セルは、アドレス電極と表示電極との間にある空洞内にガスが封入された構造を有する。空洞内には、それぞれの放電セルの表示色に蛍光する蛍光体が配設される。アドレス電極と表示電極との間に高電圧が印加されると、封入されたガスがプラズマ発光する。そのプラズマ発光により発生する紫外線で、その放電セルに設けられた蛍光体がそれぞれの表示色を発光する。
【００３３】
プラズマディスプレイ装置３のアナログ映像入力端子３ａには、アナログ映像信号が入力される。アナログ映像信号には、たとえばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式やＰＡＬ（Ｐｈａｓｅ  Ａｌｔｅｒｎａｔｉｎｇ  Ｌｉｎｅ）方式でのアナログビデオ信号や、デジタル放送の映像入出力のためのフォーマットによるアナログビデオ信号などがある。デジタル放送の映像入出力のためのフォーマットによるアナログビデオ信号が入力されるアナログ映像入力端子は、一般的にＤ１端子などと呼ばれている。
【００３４】
これらのアナログ映像信号は、たとえば１／３０秒などの所定の期間毎に、１つの表示画面に関する映像信号を有する。アナログ映像信号において１つの表示画面の映像信号は、その表示画面をブラウン管を用いたビーム走査式のディスプレイ装置で表示する場合の、水平走査線毎の輝度分布に対応する波形成分を単位として構成される。１つの表示画面は、たとえば４８０個、５２５個などの所定数の水平走査線毎の波形成分で構成される。
【００３５】
プラズマディスプレイ装置３のアナログ映像入力端子３ａは、映像Ａ／Ｄ変換部３ｃに接続される。映像Ａ／Ｄ変換部３ｃは、アナログ映像入力端子３ａに入力されるアナログ映像信号をサンプリングして、デジタル信号に変換して出力する。信号処理部３ｄは、映像Ａ／Ｄ変換部３ｃによるサンプリングデータに基づいて、アナログ映像信号における表示画面毎に、二次元画像データを生成する。ディスプレイドライバ３ｅは、プラズマ発光表示部３ｆのアドレス電極および表示電極に、信号処理部３ｄが生成した二次元画像データに応じた電圧を印加する。あるアドレス電極と表示電極との電位差が高電圧になると、そのアドレス電極および表示電極に対応する放電セルは、プラズマ放電し、所定の表示色で蛍光する。
【００３６】
このように、アナログ映像入力端子３ａに入力されるアナログ映像信号における表示画面の波形成分に基づいて、プラズマ発光表示部３ｆは、表示画面を表示する。プラズマ発光表示部３ｆが表示する表示画面は、アナログ映像信号が次の表示画面の波形成分に切り替わったら、それに応じて切り替わる。これにより、プラズマディスプレイ装置３は、アナログ映像信号に基づいて、表示画面が所定の周期で切り替わる動画を表示することができる。
【００３７】
プラズマディスプレイ装置３のアナログ音声入力端子３ｂには、アナログ音声信号が入力される。アナログ音声信号は、所定の音声の波形成分を有する信号である。アナログ音声信号は、それに基づいてスピーカ３ｉを駆動することで、そのスピーカ３ｉからアナログ音声信号に信号化されている所定の音声を出力することができる信号である。
【００３８】
プラズマディスプレイ装置３のアナログ音声入力端子３ｂは、遅延回路３ｇに接続される。遅延回路３ｇは、アナログ音声入力端子３ｂから入力されたアナログ音声信号を、所定の遅延量（アナログ映像信号が入力されてから、その信号に基づく表示画面が表示されるまでの時間に対応する遅延量）だけ遅延して出力する。この結果、映像信号と音声信号との同期が図られる。なお、このような遅延回路３ｇは、メーカにおいて、プラズマディスプレイ装置３の設計段階において、それぞれのメーカの信号処理部３ｄ、プラズマドライバ３ｅ、および、プラズマ発光表示部３ｆの特性に応じた最適な遅延量が設定されている。本発明では、当該遅延回路３ｇの遅延量を測定することにより、映像と音声を同期させるための同期調整を行うものである。
【００３９】
遅延回路３ｇの出力は、アンプ回路３ｈに接続される。アンプ回路３ｈは、遅延回路３ｇから出力されるアナログ音声信号を増幅する。アンプ回路３ｈは、増幅したアナログ音声信号を内蔵スピーカ３ｉとヘッドフォン接続端子３ｊへ出力する。内蔵スピーカ３ｉは、増幅されたアナログ音声信号の波形成分にしたがって振動される。プラズマディスプレイ装置３は、アナログ音声入力端子３ａに入力されたアナログ音声信号にしたがった音声を出力する。ヘッドフォン接続端子３ｊは、通常状態では図示せぬヘッドフォンが接続され、同期調整を行う場合には後述するオーディオアンプ装置４の調整用音声入力端子４ｒに接続される。
【００４０】
図３は、図１中のオーディオアンプ装置４の構成を示すブロック図である。オーディオアンプ装置４は、アナログ映像入力端子４ａと、アナログ映像出力端子４ｑと、を有する。また、オーディオアンプ装置４は、アナログ音声入力端子４ｂと、生成手段としてのテストデータ発生部４ｃと、音声入力切換回路４ｄと、入力部４ｅと、音声Ａ／Ｄ変換部４ｆと、算出手段の一部としての制御回路４ｇと、遅延データメモリ４ｈと、遅延手段としてのデジタル遅延回路４ｉと、算出手段の一部としての一致検出回路４ｊと、音声Ｄ／Ａ（Ｄｉｇｉｔａｌ  ｔｏ  Ａｎａｌｏｇ）変換部４ｋと、音声出力停止回路４ｍと、音声Ａ／Ｄ変換部４ｎと、アンプ回路４ｐと、入力手段としての調整用音声入力端子４ｒと、アナログ音声出力端子４ｓと、出力手段としてのアナログ音声出力端子４ｔと、を有する。
【００４１】
オーディオアンプ装置４のアナログ映像入力端子４ａは、アナログ映像出力端子４ｑに接続される。アナログ映像出力端子４ｑは、アナログ映像入力端子４ａに入力されたアナログ映像信号を出力する。なお、アナログ映像入力端子４ａは、実際には後述するアナログ音声入力端子４ｂとともに複数設けられており、セレクタによって任意の端子からの映像信号と音声信号が選択されてアナログ映像出力端子４ｑおよびアナログ音声出力端子４ｓ，４ｔから出力される。
【００４２】
オーディオアンプ装置４のテストデータ発生部４ｃは、同期を調整する場合に所定の音声信号であるテストデータ（後述する）を発生して出力する。音声入力切換回路４ｄは、同期を調整する場合には、テストデータ発生部４ｃの出力を選択し、通常の場合にはアナログ音声入力端子４ｂからの出力を選択する。入力部４ｅは、ユーザの入力操作に応じて、数値などの入力データを出力する。音声Ａ／Ｄ変換部４ｆは、音声入力切換回路４ｄから出力されるアナログ音声信号をサンプリングし、デジタル信号に変換して出力する。デジタル遅延回路４ｉは、それに入力されるデジタル値を、遅延データメモリ４ｈが記憶する遅延データの値に相当する時間だけ遅らせて出力する。遅延データメモリ４ｈは、例えば、不揮発性の半導体メモリ等によって構成され、デジタル遅延回路４ｉの遅延量を決定するための遅延データを保持している。これにより、音声Ｄ／Ａ変換部４ｋからは、アナログ音声入力端子４ｂに入力されるアナログ音声信号を、遅延データメモリ４ｈが記憶する遅延データの値に相当する時間だけ遅らせたアナログ音声信号が出力される。
【００４３】
なお、発明者らの調査テストにより、２００ミリ秒以上、音声が先行する場合、普通の人であってもその音の先行が気になることが分っている。そのため、遅延データメモリ４ｈおよびデジタル遅延回路４ｉは、たとえば１００ミリ秒以上、好ましくは２００ミリ秒以上、デジタル値を遅らせて出力できるように構成するとよい。
【００４４】
制御回路４ｇは、例えば、ＣＰＵ（Central Processing Unit）等によって構成され、装置の各部を制御する。一致検出回路４ｊは、音声Ａ／Ｄ変換部４ｎから出力されたデジタル音声信号と、デジタル遅延回路４ｉから出力されたデジタル音声信号とを比較し、これらの位相が一致しているか否かを判定する。音声Ｄ／Ａ変換部４ｋは、デジタル遅延回路４ｉから出力されたデジタル音声信号をアナログ音声信号に変換して出力する。音声出力停止回路４ｍは、同期調整を行う場合にはアンプ回路４ｐへのアナログ音声信号の出力を停止する。アンプ回路４ｐは、音声出力停止回路４ｍの出力を所定のゲインで増幅して出力する。アナログ音声出力端子４ｓには、図１に示すように、スピーカ５が接続される。アナログ音声出力端子４ｔは、図２に示すアナログ音声入力端子３ｂに接続される。スピーカ５は、アナログ音声信号に信号化されている所定の音声を出力する。
【００４５】
本発明の実施の形態に係る同期調整システムは、以上のような構成および機能を有するプラズマディスプレイ装置３の音声と同期を調整するためのものである。本発明の実施の形態に係る同期調整システムは、アナログ映像信号に基づいてプラズマディスプレイ装置３が表示する動画と、アナログ音声信号に基づいてオーディオアンプ装置４に接続されるスピーカ５が出力する音声との同期を調整するためのものである。
【００４６】
ディスク１は、ディスク再生装置２により読み取り可能な光ディスクである。光ディスクには、ＤＶＤ−ＲＯＭ、ＤＶＤ−ＲＡＭ、ＤＶＤ−Ｒ、ＤＶＤ＋Ｒ、ＣＤ、ＣＤ−Ｒなどがある。ディスク１には、動画を含む映像および音声が記録される。
【００４７】
次に、図１に示す音声同期システムを用いた、プラズマディスプレイ装置３とオーディオアンプ装置４との同期を調整する調整方法について説明する。
【００４８】
ユーザは、まず、接続ケーブル６〜９を用いて、ディスク再生装置２と、プラズマディスプレイ装置３と、オーディオアンプ装置４とを接続する。また、プラズマディスプレイ装置３のヘッドフォン接続端子３ｊと、オーディオアンプ装置の調整用音声入力端子４ｒとを接続ケーブル１０によって接続する。
【００４９】
以上の前準備が完了した後、ユーザは、入力部４ｅを操作して、同期調整処理を開始するように指示する。その結果、図４に示すフローチャートの処理が開始され、以下のステップが実行される。
【００５０】
ステップＳ１０：制御回路４ｇは、音声出力停止回路４ｍを制御して、スピーカ５への音声信号の出力を停止する。この結果、同期調整中に発生する特殊な音声信号がスピーカ５によって再生されることを防止できる。なお、プラズマディスプレイ装置３のも内蔵スピーカ３ｉを有しているが、ヘッドフォン接続端子３ｊに接続ケーブル１０が接続されるので、この内蔵スピーカ３ｉからは音が出ない状態となる。
【００５１】
ステップＳ１１：制御回路４ｇは、音声入力切換回路４ｄの接続を、アナログ音声入力端子４ｂからテストデータ発生部４ｃ側に切り換える。その結果、テストデータ発生部４ｃの出力が選択されて音声Ａ／Ｄ変換部４ｆ以降の回路に供給される。
【００５２】
ステップＳ１２：制御回路４ｇは、テストデータ発生部４ｃを制御してテストデータの発生を開始させる。図５は、テストデータ発生部４ｃから出力されるテストデータ（アナログ音声信号）の一例を示す図である。この例では、周期Ｔで繰り返される矩形波がテストデータとされている。
【００５３】
ステップＳ１３：制御回路４ｇは、遅延量を格納するための変数ｄに初期値として“０”を代入する。
【００５４】
ステップＳ１４：制御回路４ｇは、デジタル遅延回路４ｉの遅延量をｄに設定する。すなわち、制御回路４ｇは、変数ｄに格納されている値を、遅延データメモリ４ｈに格納する。その結果、デジタル遅延回路４ｉは、遅延データメモリ４ｈに格納されている値に基づいて遅延量を設定するので、変数ｄに格納されている値に対応する遅延量が設定される。
【００５５】
このとき、音声入力切換回路４ｄは、テストデータ発生部４ｃから出力されるテストデータを選択しているので、テストデータ発生部４ｃから出力されたテストデータは、音声Ａ／Ｄ変換部４ｆにおいてサンプリングされてデジタル信号に変換される。デジタル遅延回路４ｉは、音声Ａ／Ｄ変換部４ｆから出力されたデジタル信号を遅延データメモリ４ｈに格納されている遅延データに応じて遅延して出力する。デジタル遅延回路４ｉの出力は、一致検出回路４ｊに供給される。
【００５６】
また、音声入力切換回路４ｄから出力されたテストデータは、アナログ音声出力端子４ｔを介してプラズマディスプレイ装置３のアナログ音声入力端子３ｂに供給される。アナログ音声入力端子３ｂから入力されたテストデータは、遅延回路３ｇによって遅延された後、アンプ回路３ｈによって増幅され、ヘッドフォン接続端子３ｊを介して、オーディオアンプ装置４の調整用音声入力端子４ｒに供給される。調整用音声入力端子４ｒから入力されたテストデータは、音声Ａ／Ｄ変換部４ｎによってサンプリングされてデジタル信号に変換された後、一致検出回路４ｊに供給される。なお、一致検出回路４ｊの動作は後述する。
【００５７】
ステップＳ１５：制御回路４ｇは、一致検出回路４ｊの出力を参照して、音声Ａ／Ｄ変換部４ｎから入力される信号と、デジタル遅延回路４ｉから出力される信号とが一致するか否かを判定し、一致する場合にはステップＳ１７に進み、それ以外の場合にはステップＳ１６に進む。
【００５８】
すなわち、一致検出回路４ｊは、図５に示すように、音声Ａ／Ｄ変換部４ｎの出力信号と、デジタル遅延回路４ｉの出力信号の排他的論理和を演算し、一致検出回路４ｊ出力信号として出力する。この結果、音声Ａ／Ｄ変換部４ｎの出力信号と、デジタル遅延回路４ｉの出力信号の遅延時間が等しい場合には、出力は“０”となるが、遅延時間がずれている場合には位相ずれに応じた幅を有する矩形波が出力される。
【００５９】
ステップＳ１６：制御回路４ｇは、変数ｄの値を１だけインクリメントし、ステップＳ１４に戻って同様の処理を繰り返す。
【００６０】
以上に示すステップＳ１４〜Ｓ１６の処理により、音声Ａ／Ｄ変換部４ｎの出力信号と、デジタル遅延回路４ｉの出力信号の位相が比較され、これらが等しくない場合には、デジタル遅延回路４ｉの遅延量が単位遅延量である１ずつ増加されて一致検出が繰り返される。そして、これらの位相が等しくなった場合にはステップＳ１７に進む。これらの一連の処理により、デジタル遅延回路４ｉの遅延量は、プラズマディスプレイ装置３の遅延回路３ｇが有する遅延量と略等しくなるように調整される。
【００６１】
ステップＳ１７：制御回路４ｇは、デジタル遅延回路４ｉの遅延量をｄの値に固定する。すなわち、制御回路４ｇは、遅延データメモリ４ｈに変数ｄの値を書き込む。
【００６２】
ステップＳ１８：制御回路４ｇは、音声入力切換回路４ｄの接続を、テストデータ発生部４ｃからアナログ音声入力端子４ｂ側へ切り換える。この結果、例えば、ディスク再生装置２から出力されたアナログ音声信号が音声Ａ／Ｄ変換部４ｆに供給される。
【００６３】
ステップＳ１９：制御回路４ｇは、音声出力停止回路４ｍを制御して、音声出力の停止状態を解除する。その結果、音声Ｄ／Ａ変換部４ｋから出力されたアナログ音声信号がアンプ回路４ｐに供給される。
【００６４】
以上の処理によれば、入力部４ｅから同期調整の指示がなされた場合には、デジタル遅延回路４ｉの遅延量がプラズマディスプレイ装置３の遅延回路３ｇの遅延量と略同じになるように調整されるので、アナログ音声信号をスピーカ５から出力する場合でも、プラズマディスプレイ装置３に表示される映像との同期を図ることが可能になる。この結果、違和感の無い映像および音声を楽しむことが可能になる。また、プラズマディスプレイ装置３とオーディオアンプ装置４とを購入したユーザが自宅において、特別な専用機器を購入したりすることなく、簡単に、それらの同期調整を実施することができる。
【００６５】
上述の実施の形態では、アナログ映像信号がオーディオアンプ装置４を経由してプラズマディスプレイ装置３に入力されるようにしたが、例えば、図６に示すように、ディスク再生装置２から出力されたアナログ映像信号がプラズマディスプレイ装置３に直接供給されるようにすることも可能である。この例では、接続ケーブル６によってディスク再生装置２とプラズマディスプレイ装置３とが直接接続され、これらの間でアナログ映像信号が伝送されるようにされている。すなわち、上述の実施の形態では、アナログ音声信号のみを用いて映像と音声の同期をとるようにしているので、アナログ映像信号は、オーディオアンプ装置４に入力する必要はないためである。なお、音声信号を供給することができればよいので、ディスク再生装置２ではなく、例えば、カセットテープ再生装置、ＤＡＴ（Digital Audio Tape）再生装置であってもよい。
【００６６】
また、上述の実施の形態では、テストデータとして図５に示す矩形波信号を用いるようにしたが、このような矩形波信号では、位相が矩形波の１周期以上ずれた場合には、遅延量の検出が困難になる。そこで、例えば、図７に示す第１のテストデータのように、矩形波の幅が広い同期区間を周期的に設けて、この部分を検出することにより、１周期以上ずれているか否かを判定し、１周期以上ずれている場合には同期区間を用いて位相を合わせる調整を行ったのち、通常の幅を有する矩形波からなる位相調整区間において、遅延量を詳細に検出するようにしてもよい。
【００６７】
また、図７の第２のテストデータに示すように、予想される遅延量よりも長い周期を有する信号を用いて遅延量を検出することも可能である。すなわち、予想される最大の遅延量がＴである場合には、Ｔよりも周期が長い信号を用いることにより、遅延量が大きい場合にも対応可能となる。具体的には、遅延量は２００ｍｓ以内であることが多いので、Ｔとして２００ｍｓ程度を設定することができる。
【００６８】
また、上述の実施の形態では、テストデータとして、矩形波を用いるようにしたが、例えば、図７の第３のテストデータのように、ＦＭ（Ｆｒｅｑｕｅｎｃｙ  Ｍｏｄｕｌａｔｉｏｎ）変調した信号を用いることも可能である。この例では、周波数が高い信号と、低い信号とが混在しており、周波数が高い信号は、第３のテストデータ検出値に示すようにハイの状態と判断され、周波数が低い信号はローの状態と判断される。したがって、検出値のハイまたはローの状態を比較することにより、遅延量を検出することが可能になる。このようにＦＭ変調した信号を用いることにより、例えば、プラズマディスプレイ装置３に内蔵されているアンプ回路３ｈの低域特性が十分でない場合（例えば、低域限界が４０〜５０Ｈｚ程度である場合）であっても、ある程度高い周波数（例えば、１００〜１０ｋＨｚ）の信号を搬送波として使用することにより、アンプ回路３ｈの低域特性に影響されずに遅延量を正確に測定することができる。より好ましくは、所望の分解能に応じて周波数を決定すればよい。例えば、分解能を１ｍｓ程度に設定する場合には、周期が０．１ｍｓ程度である周波数（１０ｋＨｚ）に設定すればよい。
【００６９】
また、上述の実施の形態では、オーディオアンプ装置４への入力は、アナログ信号としたが、デジタル信号を入力するようにしてもよい。また、プラズマディスプレイ装置３への入力についてもデジタル信号としてもよい。要は、プラズマディスプレイ装置３に入力される音声信号と、出力される音声信号との時間差を求めることができれば、信号の表現形式は何であっても良い。
【００７０】
また、上述の実施の形態では、プラズマディスプレイ装置３のヘッドフォン接続端子３ｊからのアナログ音声信号を用いて遅延量を検出するようにしたが、ヘッドフォン接続端子３ｊ以外であっても遅延回路３ｇを経由して出力される信号であれば利用することが可能である。すなわち、映像と同期するように調整された音声信号であれば、どのような信号（、例えば、ライン出力端子等からの信号）であっても利用可能である。
【００７１】
また、上述の実施の形態では、入力部４ｅが操作されて同期調整を行うことが指示された場合に、上述の処理（図４の処理）を実行するようにしたが、調整用音声入力端子４ｒに接続ケーブル１０が接続された場合、接続されてから所定の時間が経過した場合、または、接続された後に音声信号が検出された場合に、前述の処理を開始するようにしてもよい。
【産業上の利用可能性】
【００７２】
本発明は、プラズマディスプレイ装置とオーディオアンプ装置とを使用するホームシアターシステムなどにおいて、それらの動画と音声とを同期させるために利用することができる。
【図面の簡単な説明】
【００７３】
【図１】本発明の実施の形態に係る同期調整システムの構成例を示すブロック図である。
【図２】図１に示す実施の形態に係る同期調整システムを構成するプラズマディスプレイ装置の構成例を示すブロック図である。
【図３】図１に示す実施の形態に係る同期調整システムを構成するオーディオアンプ装置の構成例を示すブロック図である。
【図４】図１に示す実施の形態に係る同期調整システムにおいて同期調整を行う際の処理の流れを説明するためのフローチャートである。
【図５】図１に示す実施の形態に係る同期調整システムの各部の信号を示すタイミングチャートである。
【図６】本発明の同期調整システムの他の接続例を示す図である。
【図７】本発明の同期調整システムにおいて使用されるテストデータの他の一例を示す図である。
【符号の説明】
【００７４】
１  ディスク
２  ディスク再生装置（音声信号再生装置）
３  プラズマディスプレイ装置（表示装置）
４  オーディオアンプ装置（音声出力装置）
４ｃ  テストデータ発生部（生成手段）
４ｇ  制御回路（算出手段の一部）
４ｉ  デジタル遅延回路（遅延手段）
４ｊ  一致検出回路（算出手段の一部）
４ｒ  入力端子（入力手段）
４ｔ  出力端子（出力手段）
４ｕ  遅延量検出回路（算出手段の一部）
【図１】
2006217006.tif 000003
【図２】
2006217006.tif 000004
【図３】
2006217006.tif 000005
【図４】
2006217006.tif 000006
【図５】
2006217006.tif 000007
【図６】
2006217006.tif 000008
【図７】
2006217006.tif 000009